【事件の表示】
　特願２０１６−１５７１４５号「遊技機」拒絶査定不服審判事件〔平成３０年２月１５日出願公開、特開２０１８−２３５７６号〕について、次のとおり審決する。
【結　論】
　本件審判の請求は、成り立たない。
【理　由】
第１　手続の経緯
　本願は、平成２８年８月１０日の出願であって、平成３０年３月１日に手続補正書が提出され、同年７月９日付けで拒絶の理由が通知され、同年９月６日に意見書が提出されるとともに手続補正がなされたが、平成３１年２月１９日付けで拒絶査定がなされ、それに対して、令和１年５月１３日に拒絶査定不服審判の請求がなされると同時に手続補正がなされたものである。
第２　令和１年５月１３日にされた手続補正についての補正の却下の決定
［補正の却下の決定の結論］
　令和１年５月１３日にされた手続補正（以下「本件補正」という。）を却下する。
［理由］ 
１　本件補正について（補正の内容）
（１）本件補正後の特許請求の範囲の記載
　本件補正により、特許請求の範囲の請求項１の記載は、次のとおり補正された（下線部は、補正箇所である。）。
「遊技者にとって有利な有利状態に制御可能な遊技機であって、
　特定演出を実行可能な特定演出実行手段と、
　前記特定演出が開始されるまでの期間に対応する特別画像を表示し、該特別画像を時間の経過に応じて順次更新させることで、前記特定演出が実行されるタイミングを示唆する示唆演出を実行可能な示唆演出実行手段と、
　を備え、
　前記示唆演出実行手段は、前記有利状態に制御される期待度に応じて前記示唆演出の態様を異ならせることができ、
　前記特別画像を時間の経過に応じて順次更新させる前に、前記特別画像に関する初期画像を表示し、該初期画像を前記特別画像に変更して表示可能であり、
　前記初期画像を前記特別画像に変更するときの態様は、前記特別画像を時間の経過に応じて順次更新させるときの態様とは異な
り、
　前記示唆演出実行手段は、第１変更パターンで前記初期画像を前記特別画像に変更してから前記示唆演出を実行するときよりも、前記第１変更パターンとは異なる第２変更パターンで前記初期画像を前記特別画像に変更してから前記示唆演出を実行するときの方が、前記有利状態に制御される割合が高くなるように前記示唆演出を実行する
ことを特徴とする遊技機。」
（２）本件補正前の特許請求の範囲
　本件補正前の、平成３０年９月６日にされた手続補正により補正された特許請求の範囲の請求項１の記載は次のとおりである。
「遊技者にとって有利な有利状態に制御可能な遊技機であって、
　特定演出を実行可能な特定演出実行手段と、
　前記特定演出が開始されるまでの期間に対応する特別画像を表示し、該特別画像を時間の経過に応じて順次更新させることで、前記特定演出が実行されるタイミングを示唆する示唆演出を実行可能な示唆演出実行手段と、
　を備え、
　前記示唆演出実行手段は、前記有利状態に制御される期待度に応じて前記示唆演出の態様を異ならせることができ、
　前記特別画像を時間の経過に応じて順次更新させる前に、前記特別画像に関する初期画像を表示し、該初期画像を前記特別画像に変更して表示可能であり、
　前記初期画像を前記特別画像に変更するときの態様は、前記特別画像を時間の経過に応じて順次更新させるときの態様とは異なる
ことを特徴とする遊技機。」
２　補正の適否
　補正後の請求項１は、補正前の請求項１に記載された発明特定事項である「示唆演出実行手段」について、「第１変更パターンで前記初期画像を前記特別画像に変更してから前記示唆演出を実行するときよりも、前記第１変更パターンとは異なる第２変更パターンで前記初期画像を前記特別画像に変更してから前記示唆演出を実行するときの方が、前記有利状態に制御される割合が高くなるように前記示唆演出を実行する」ことを特定することにより、補正前の請求項１に記載された「示唆演出実行手段」を限定するものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、本願の願書に最初に添付された明細書、特許請求の範囲又は図面の【０１４７】、【０１４９】、【０１７４】、図１５、図１９等の記載に基づいており、新規事項を追加するものではない。
　そこで、本件補正後の請求項１に記載された発明（以下「本件補正発明」という。）が特許出願の際独立して特許を受けることができるものであるか否か、すなわち、特許法第１７条の２第６項において準用する同法第１２６条第７項の規定に適合するか否か、について以下において検討する。
（１）本件補正発明
　本件補正発明は、上記１（１）において示した次に特定されるとおりのものである（Ａ〜Ｈについては、発明特定事項を分説するため当審で付した。）。
「Ａ　遊技者にとって有利な有利状態に制御可能な遊技機であって、
Ｂ　特定演出を実行可能な特定演出実行手段と、
Ｃ　前記特定演出が開始されるまでの期間に対応する特別画像を表示し、該特別画像を時間の経過に応じて順次更新させることで、前記特定演出が実行されるタイミングを示唆する示唆演出を実行可能な示唆演出実行手段と、
　を備え、
Ｄ　前記示唆演出実行手段は、前記有利状態に制御される期待度に応じて前記示唆演出の態様を異ならせることができ、
Ｅ　前記特別画像を時間の経過に応じて順次更新させる前に、前記特別画像に関する初期画像を表示し、該初期画像を前記特別画像に変更して表示可能であり、
Ｆ　前記初期画像を前記特別画像に変更するときの態様は、前記特別画像を時間の経過に応じて順次更新させるときの態様とは異なり、
Ｇ　前記示唆演出実行手段は、第１変更パターンで前記初期画像を前記特別画像に変更してから前記示唆演出を実行するときよりも、前記第１変更パターンとは異なる第２変更パターンで前記初期画像を前記特別画像に変更してから前記示唆演出を実行するときの方が、前記有利状態に制御される割合が高くなるように前記示唆演出を実行する
Ｈ　ことを特徴とする遊技機。」
（２）引用文献の記載事項
ア　原査定の拒絶の理由に引用された本願の出願前に頒布された又は電気通信回線を通じて公衆に利用可能となった引用文献である、特開２０１５−２１１７６２号公報（以下、「引用文献」という。）には、図面とともに次の事項が記載されている（下線は当審で付した。）。
「【０００９】
（手段１）本発明による遊技機は、開始条件の成立（例えば、保留記憶数が０でない場合であって、第１特別図柄および第２特別図柄の可変表示が実行されていない状態であり、かつ、大当り遊技が実行されていない状態）にもとづいて、各々を識別可能な複数種類の識別情報（例えば、第１特別図柄、第２特別図柄）の可変表示を行う
可変表示手段
に
大当り図柄
が導出表示されたときに遊技者にとって有利な
大当り遊技状態
とする遊技機
「【００１７】
　以下、本発明の実施の形態を、図面を参照して説明する。まず、遊技機の一例であるパチンコ遊技機１の全体の構成について説明する。図１は
パチンコ遊技機１
「【０３１２】
　また、
示唆演出は、
特定演出が発生するタイミングまでの残り時間を、特定演出の発生タイミングよりも５秒前から演出表示装置９に表示する演出
カウントダウン演出
カウントダウン演出を行ったときには、残り時間を示すカウンタがゼロになった時点で、
特定演出が発生する
示唆演出の態様として、カウンタを大きく表示する「大表示」と、「大表示」よりもカウンタを小さく表示する「小表示」とが設けられている
「【０３４３】
　次いで、
演出制御用ＣＰＵ１０１は、
演出表示装置９において、タイマを模した画像を表示するとともに、そのタイマが「待機中」と表示されているような態様で待機中表示を開始する
示唆演出の態様として小表示を選択した場合には大きさが小さいタイマを模した画像を表示し、示唆演出の態様として大表示を選択した場合には小表示と比較して大きさが大きいタイマを模した画像を表示する
「【０３４５】
　また、この実施の形態では、図３５で既に説明したように、大当り確定となる一発告知の特定演出に対しては示唆演出の演出態様として必ず大表示が選択されることから、
示唆演出の演出態様として大表示が選択された場合には小表示が選択された場合と比較して大当りに対する期待度（信頼度）が高い
大表示の示唆演出に対応して大表示の待機中表示が表示され、小表示の示唆演出に対応して小表示の待機中表示が表示されるのであるから、大表示の待機中表示が表示された場合には小表示の待機中表示が表示された場合と比較して大当りに対する期待度（信頼度）が高くなる
「【０３６４】
　次に、演出制御用ＣＰＵ１０１は、その次に設定されている表示制御実行データ、およびランプ制御実行データ（すなわち、音番号データ以外）にもとづいて演出装置に対する制御状態を変更する（ステップＳ８１０５）。ステップＳ８１０３においてプロセスタイマがタイムアウトしてなかった場合、またはステップＳ８１０５を行った後、
演出制御用ＣＰＵ１０１は、
グである場合、特定演出先読み処理のステップＳ６０１１で記憶した特定演出パターンを読み出して（ステップＳ８１０７）、該特定演出パターンに含まれる
特定演出を実行する
「【０３６７】
　ステップＳ８１０６において特定演出の実行タイミングでない場合や特定演出および示唆演出の決定が行われていない場合（ステップＳ８１０６のＮ）、またはステップＳ８１０８の後、
演出制御用ＣＰＵ１０１は、
示唆演出の開始タイミングである場合、
示唆演出を実行する
その「待機中」の表示を消去し、タイマによるカウントダウンが開始されるような態様の演出を開始する
イ　上記アから、引用文献には、次の発明（以下「引用発明」という。）が記載されている。 
「可変表示手段に大当り図柄が導出表示されたときに遊技者にとって有利な大当り遊技状態とするパチンコ遊技機１であって（【０００９】、【００１７】）、
　特定演出を実行する演出制御用ＣＰＵ１０１と（【０３６４】）、
　特定演出が発生するタイミングまでの残り時間を、特定演出の発生タイミングよりも５秒前から演出表示装置９に表示するカウントダウン演出であり、
　カウントダウン演出を行ったときには、残り時間を示すカウンタがゼロになった時点で、特定演出が発生する示唆演出を実行する演出制御用ＣＰＵ１０１と（【０３１２】、【０３６７】）、
　を備え、
　演出制御用ＣＰＵ１０１は、演出表示装置９において、タイマを模した画像を表示するとともに、そのタイマが「待機中」と表示されているような態様で待機中表示を開始し（【０３４３】）、
　示唆演出の開始タイミングになると、その「待機中」の表示を消去し、タイマによるカウントダウンが開始されるような態様の演出を開始するものであり（【０３６７】）、
　示唆演出の態様として、カウンタを大きく表示する「大表示」と、「大表示」よりもカウンタを小さく表示する「小表示」とが設けられており（【０３１２】）、
　示唆演出の態様として小表示を選択した場合には大きさが小さいタイマを模した画像を表示し、示唆演出の態様として大表示を選択した場合には小表示と比較して大きさが大きいタイマを模した画像を表示し（【０３４３】）、
　示唆演出の演出態様として大表示が選択された場合には小表示が選択された場合と比較して大当りに対する期待度（信頼度）が高く（【０３４５】）、
　大表示の示唆演出に対応して大表示の待機中表示が表示され、小表示の示唆演出に対応して小表示の待機中表示が表示されるのであるから、大表示の待機中表示が表示された場合には小表示の待機中表示が表示された場合と比較して大当りに対する期待度（信頼度）が高くなる（【０３４５】）、
　パチンコ遊技機１（【００１７】）。」
（３）対比・判断
　本件補正発明と引用発明とを対比する。なお、見出しは（Ａ）〜（Ｈ）とし、本件補正発明の分説に対応させている。 
（Ａ）引用発明の「可変表示手段に大当り図柄が導出表示されたときに遊技者にとって有利な大当り遊技状態とする」ことは、本件補正発明の「遊技者にとって有利な有利状態に制御可能」であることに相当し、引用発明の「パチンコ遊技機１」は、本件補正発明の「遊技機」に相当する。
　よって、引用発明は、本件補正発明の構成Ａを備えている。
（Ｂ）引用発明の「特定演出」は、本件補正発明の「特定演出」に相当するから、引用発明の「演出制御用ＣＰＵ１０１」は、本件補正発明の「特定演出実行手段」の機能を備えるものである。
　よって、引用発明は、本件補正発明の構成Ｂを備えている。
（Ｃ）引用発明の「示唆演出」は、「演出制御用ＣＰＵ１０１」によって実行され、「特定演出が発生するタイミングまでの残り時間を、特定演出の発生タイミングよりも５秒前から演出表示装置９に表示する」「カウントダウン演出」であり、「演出表示装置９において」、「タイマを模した画像を表示」し、「示唆演出の開始タイミングになると」、「タイマによるカウントダウンが開始されるような態様の演出」を行い、「残り時間を示すカウンタがゼロになった時点で、特定演出が発生する」ものである。
　ここで、引用発明の、「残り時間を」「５秒前から」「表示する」「カウントダウン演出」においては、「タイマを模した画像を表示」し、「タイマによるカウントダウンが開始されるような態様の演出」を行い、「残り時間を示すカウンタがゼロに」なるものであって、「タイマを模した画像」に「残り時間」が「表示」されているといえるから、引用発明の「示唆演出」は、「残り時間を」「表示」した「タイマを模した画像」の「残り時間」を「特定演出の発生タイミングよりも５秒前から」時間の経過に応じて「カウントダウン」する「演出」である。
　そして、引用発明の「残り時間を」「表示」した「タイマを模した画像」は、「演出表示装置９に表示」される「画像」であることは明らかであり、「残り時間」は「特定演出が発生するタイミングまでの残り時間」であるから、「残り時間を」「表示」した「タイマを模した画像」は、本件補正発明の「前記特定演出が開始されるまでの期間に対応する」「特別画像」に相当する。
　また、引用発明の「残り時間を」「表示」した「タイマを模した画像」の「残り時間」を時間の経過に応じて「カウントダウン」することは、「残り時間を」「表示」した「タイマを模した画像」を時間の経過に応じて順次更新させているといえるから、本件補正発明の「該特別画像を時間の経過に応じて順次更新させる」ことに相当する。
　そして、引用発明の「示唆演出の開始タイミング」は「特定演出の発生タイミング」の「５秒前」であり、「残り時間を示すカウンタがゼロになった時点で、特定演出が発生する」ことから、引用発明の「示唆演出」は、「特定演出が実行されるタイミングを示唆」しているものであり、本件補正発明の「前記特定演出が実行されるタイミングを示唆する」「示唆演出」に相当する。
  そうすると、引用発明の「示唆演出を実行する」「演出制御用ＣＰＵ１０１」は、本件補正発明の「示唆演出実行手段」の機能を備えるものである。
　よって、引用発明は、本件補正発明の構成Ｃを備えている。
（Ｄ）引用発明の「示唆演出」は、「態様として、カウンタを大きく表示する「大表示」と、「大表示」よりもカウンタを小さく表示する「小表示」とが設けられており」、「示唆演出の演出態様として大表示が選択された場合には小表示が選択された場合と比較して大当りに対する期待度（信頼度）が高」いのであるから、本件補正発明の「前記有利状態に制御される期待度に応じて」「態様を異ならせる」「示唆演出」に相当する。
　そして、引用発明の「示唆演出」は、「演出制御用ＣＰＵ１０１」（示唆演出実行手段）によって実行されることから、引用発明は、本件補正発明の構成Ｄを備えている。
（Ｅ）引用発明の「待機中表示」は、「演出表示装置９において、タイマを模した画像を表示」し、「そのタイマが「待機中」と表示されているような態様」で「「待機中」」と「表示」しているのであるから、「「待機中」」と「表示」された「タイマを模した画像」は、「演出表示装置９」に「表示」される「画像」であることは明らかである。
　そして、引用発明は、「示唆演出の開始タイミングになると」、「「待機中」」と「表示」された「タイマを模した画像」の「「待機中」の表示を消去」し、「示唆演出」が開始されるものであるから、「「待機中」」と「表示」された「タイマを模した画像」は、「示唆演出」が開始される前に表示されるものであり、「「待機中」」の「表示」は、「示唆演出」の開始を待機してることを示すものといえる。
　一方、上記（Ｃ）より、引用発明の「示唆演出」は、「残り時間を」「表示」した「タイマを模した画像」の「残り時間」を「特定演出の発生タイミングよりも５秒前から」時間の経過に応じて「カウントダウン」する「演出」であり、「示唆演出」においては、「残り時間を」「表示」した「タイマを模した画像」が表示されていることを踏まえると、引用発明において、「示唆演出の開始タイミングになると」、「「待機中」」と「表示」された「タイマを模した画像」の「「待機中」の表示を消去」し、「残り時間を」「表示」した「タイマを模した画像」を表示し、その「残り時間」の表示を時間の経過に応じて「カウントダウン」する「演出」を開始するといえる。
　ここで、上記（Ｃ）より、引用発明の「残り時間を」「表示」した「タイマを模した画像」は、本件補正発明の「特別画像」に相当するものであるから、引用発明の、「示唆演出の開始タイミングになると」、「「待機中」」と「表示」された「タイマを模した画像」の「「待機中」の表示を消去」し、「残り時間を」「表示」した「タイマを模した画像」を表示する、「「待機中」」と「表示」された「タイマを模した画像」は、本件補正発明の「前記特別画像に関する」「初期画像」に相当するといえる。
　そして、引用発明の「「待機中」」と「表示」された「タイマを模した画像」は、「残り時間を」「表示」した「タイマを模した画像」を表示し、その「残り時間」の表示を時間の経過に応じて「カウントダウン」する前に表示されるものであるから、本件補正発明の「前記特別画像を時間の経過に応じて順次更新させる前に」「表示」する「初期画像」に相当し、引用発明は、「「待機中」」と「表示」された「タイマを模した画像」の「「待機中」の表示を消去」し、「残り時間を」「表示」した「タイマを模した画像」を表示するものであるから、本件補正発明の「該初期画像を前記特別画像に変更して表示可能」である構成を備えているといえる。
　よって、引用発明は、本件補正発明の構成Ｅを備えている。
（Ｆ）引用発明において、「「待機中」」と「表示」された「タイマを模した画像」は、「示唆演出の開始タイミングになると」、「「待機中」」と「表示」された「タイマを模した画像」の「「待機中」の表示を消去」し、「残り時間を」「表示」した「タイマを模した画像」を表示するものであるのに対し、「残り時間を」「表示」した「タイマを模した画像」の「残り時間」は、時間の経過に応じて「カウントダウン」されるものであるから、「「待機中」」と「表示」された「タイマを模した画像」を「残り時間を」「表示」した「タイマを模した画像」に変更するときの態様と、「残り時間を」「表示」した「タイマを模した画像」を時間の経過に応じて順次更新させるときの態様が異なることは、明らかである。
　そして、上記（Ｃ）、（Ｅ）より、引用発明の「残り時間を」「表示」した「タイマを模した画像」、「「待機中」」と「表示」された「タイマを模した画像」は、それぞれ、本件補正発明の「特別画像」、「初期画像」に相当するから、引用発明は、本件補正発明の構成Ｆを備えている。
（Ｇ）引用発明は、「示唆演出の態様として」、「タイマを模した画像」を、「小表示」で表示する場合と、「大表示」で表示する場合とがあり、「小表示の示唆演出に対応して小表示の待機中表示が表示され」、「大表示の示唆演出に対応して大表示の待機中表示が表示され」るものである。
　そして、引用発明は、「示唆演出の演出態様として大表示が選択された場合には小表示が選択された場合と比較して大当りに対する期待度（信頼度）が高く」、「大表示の待機中表示が表示された場合には小表示の待機中表示が表示された場合と比較して大当りに対する期待度（信頼度）が高くなる」のであるから、引用発明において、「タイマを模した画像」を「小表示」で表示して「待機中表示」から「示唆演出」を実行する場合よりも、「タイマを模した画像」を「大表示」で表示して「待機中表示」から「示唆演出」を実行する場合の方が、「大当りに対する期待度（信頼度）が高」いといえる。
　ここで、引用発明の「待機中表示」は、「演出表示装置９において、タイマを模した画像を表示するとともに、そのタイマが「待機中」と表示されているような態様で」あることから、「「待機中」」と「表示」された「タイマを模した画像」が表示されていることは明らかである。
　そして、上記（Ｃ）、（Ｅ）より、引用発明は、「示唆演出の開始タイミングになると」、「「待機中」」と「表示」された「タイマを模した画像」の「「待機中」の表示を消去」し、「残り時間を」「表示」した「タイマを模した画像」を表示して、引用発明の「示唆演出」である、「「残り時間を」「表示」した「タイマを模した画像」の「残り時間」を「特定演出の発生タイミングよりも５秒前から」時間の経過に応じて「カウントダウン」する「演出」を行うものである。
　したがって、引用発明は、「タイマを模した画像」を「小表示」で表示して、「「待機中」」と「表示」された「タイマを模した画像」の「「待機中」の表示を消去」し、「残り時間を」「表示」した「タイマを模した画像」を表示して、「残り時間を」「表示」した「タイマを模した画像」の「残り時間」を「特定演出の発生タイミングよりも５秒前から」時間の経過に応じて「カウントダウン」する「演出」を行うときよりも、「タイマを模した画像」を「大表示」で表示して、「「待機中」」と「表示」された「タイマを模した画像」の「「待機中」の表示を消去」し、「残り時間を」「表示」した「タイマを模した画像」を表示して、「残り時間を」「表示」した「タイマを模した画像」の「残り時間」を「特定演出の発生タイミングよりも５秒前から」時間の経過に応じて「カウントダウン」する「演出」を行うときの方が、「大当りに対する期待度（信頼度）が高」いものといえる。
　ここで、引用発明において、「タイマを模した画像」を「小表示」で表示するときよりも、「タイマを模した画像」を「大表示」で表示するときの方が、「大当りに対する期待度（信頼度）が高」いことから、「「待機中」」と「表示」された「タイマを模した画像」の「「待機中」の表示を消去」し、「残り時間を」「表示」した「タイマを模した画像」を表示するときに、「タイマを模した画像」を「小表示」で表示すること、「タイマを模した画像」を「大表示」で表示することはそれぞれ、本件補正発明の「第１変更パターン」で「変更」すること、「第２変更パターン」で「変更」することに相当するといえる。
　また、上記（Ｃ）、（Ｅ）より、引用発明の「残り時間を」「表示」した「タイマを模した画像」、「「待機中」」と「表示」された「タイマを模した画像」、「残り時間を」「表示」した「タイマを模した画像」の「残り時間」を「特定演出の発生タイミングよりも５秒前から」時間の経過に応じて「カウントダウン」する「演出」は、それぞれ、本件補正発明の「特別画像」、「初期画像」、「示唆演出」に相当する。
　そうすると、引用発明の「タイマを模した画像」を「小表示」で表示して、「「待機中」」と「表示」された「タイマを模した画像」の「「待機中」の表示を消去」し、「残り時間を」「表示」した「タイマを模した画像」を表示して、「「残り時間を」「表示」した「タイマを模した画像」の「残り時間」を「特定演出の発生タイミングよりも５秒前から」時間の経過に応じて「カウントダウン」する「演出」を行うときは、本件補正発明の「第１変更パターンで前記初期画像を前記特別画像に変更してから前記示唆演出を実行するとき」に相当し、引用発明の「タイマを模した画像」を「大表示」で表示して、「「待機中」」と「表示」された「タイマを模した画像」の「「待機中」の表示を消去」し、「残り時間を」「表示」した「タイマを模した画像」を表示して、「「残り時間を」「表示」した「タイマを模した画像」の「残り時間」を「特定演出の発生タイミングよりも５秒前から」時間の経過に応じて「カウントダウン」する「演出」を行うときは、本件補正発明の「前記第１変更パターンとは異なる第２変更パターンで前記初期画像を前記特別画像に変更してから前記示唆演出を実行するとき」に相当する。
　また、引用発明の「大当りに対する期待度（信頼度）が高」いことは、本件補正発明の「前記有利状態に制御される割合が高くなる」ことに相当する。
　そして、引用発明の「示唆演出」は、「演出制御用ＣＰＵ１０１」（示唆演出実行手段）によって実行されることから、引用発明は、本件補正発明の構成Ｇを備えている。
（Ｈ）引用発明の「パチンコ遊技機１」は、本件補正発明の「遊技機」に相当する。
　よって、引用発明は、本件補正発明の構成Ｈを備えている。
　上記（Ａ）〜（Ｈ）の対比により、本件補正発明と引用発明は、全ての点で一致し、相違点はない。
　したがって、本件補正発明は引用発明である。
（４）小括 
　よって、本件補正発明は引用文献に記載された発明であり、特許法第２９条第１項第３号の規定に該当し、特許出願の際独立して特許を受けることができない。  
  
３　本件補正についてのむすび 
　以上より、本件補正は、特許法第１７条の２第６項において準用する同法第１２６条第７項の規定に違反するので、同法第１５９条第１項において読み替えて準用する同法第５３条第１項の規定により却下すべきものである。 
  
第３　本願発明について
１　本願発明
　本件補正は、上記第２のとおり却下されたので、本願の請求項１に係る発明（以下、「本願発明」という。）は、平成３０年９月６日にされた手続補正により補正された上記第２の［理由］１（２）に記載されたとおりのものである。
２　原査定の拒絶の理由
　原査定の拒絶の理由の概要は、この出願の請求項１に係る発明は、その出願前に日本国内又は外国において、頒布された又は電気通信回線を通じて公衆に利用可能となった下記の引用文献に記載された発明であるから、特許法第２９条第１項第３号に該当し、特許を受けることができない、というものである。
　引用文献：特開２０１５−２１１７６２号公報
３　引用文献
　原査定の拒絶の理由で引用された引用文献の記載事項及び引用発明は、前記第２の［理由］３（２）に記載したとおりである。
４　対比・判断
　本願発明は、本件補正発明の発明特定事項から、上記第２の［理由］２で示した限定事項を省いたものである。
　そうすると、本願発明の発明特定事項をすべて含み、さらに、他の発明特定事項を付加したものに相当する本件補正発明が、上記第２に記載したとおり、引用発明であるから、本願発明も、同様に、引用発明である。
  
第４　むすび 
　以上のとおり、本願発明は、特許法第２９条第１項第３号の規定に該当し、特許を受けることができないものである。
　よって、結論のとおり審決する。